(57)【要約】【課題】壁パネル及びスタッドの構造を簡単化でき、且つ予め柱構造を組み立てることなく壁パネルとスタッドとを順次組み立てることによって容易に部屋の壁面を形成できる壁パネルの接続構造及び組立方法を提供する。【解決手段】矩形状の部屋の壁面を形成する複数枚の壁パネルの相互を、板体を曲折して形成した中空部を具備するスタッドによって接続する壁パネルの接続構造において、該部屋を形成する床部２０の各角部に立設され、角部で交差する壁パネル１４の各々の側端部を係止する係止部１６が中空部内に形成されたコーナ用スタッド１０と、角部間の床部に立設され、壁パネルの各々の側端部を係止する係止部が中空部内に形成されたヒラ用スタッドとを備え、コーナ用スタッド１０及びヒラ用スタッドには、その中空部内に壁パネル１４の側端部に形成された係止部１５が挿入されるようにスリット状の開口部が形成されていると共に、壁パネル１４の係止部１５と弾性的に係止する係止部１６が前記中空部内に形成され、且つコーナ用スタッド１０及びヒラ用スタッドの係止部１６と壁パネル１４の係止部１５とが係止されたとき、係止部１５，１６同士の係止状態を固定し一体化するように、前記スタッドの中空部の最上端に固定ブロック２６が装着されていることを特徴とする。【選択図】        図１
2004150253.tif 000002
【特許請求の範囲】
【請求項１】
矩形状の部屋の壁面を形成する複数枚の壁パネルの相互を、板体を曲折して形成した中空部を具備するスタッドによって接続する壁パネルの接続構造において、
該部屋を形成する床部の各角部に立設され、前記角部で交差する壁パネルの各々の側端部を係止する係止部が中空部内に形成されたコーナ用スタッドと、
前記角部間の床部に立設され、前記角部間の平坦な壁面を形成する壁パネルの各々の側端部を係止する係止部が中空部内に形成されたヒラ用スタッドとを備え、
前記壁パネルの側端部には、前記壁パネルを構成する面板の端部を曲折して成る係止部が形成され、
前記床部に立設された前記コーナ用スタッド及びヒラ用スタッドには、その中空部内に前記壁パネルの係止部が挿入されるように、前記スタッドの長軸方向に沿ってスリット状の開口部が形成されていると共に、前記開口部から中空部内に挿入された前記壁パネルの係止部と当接して弾性的に係止する係止部が前記中空部内に形成され、
且つ前記コーナ用スタッド及びヒラ用スタッドの各中空部内に挿入された壁パネルの係止部が、前記スタッドの係止部と係止されたとき、前記係止部の係止状態を固定し一体化するように、前記スタッドの中空部の最上端に固定ブロックが装着されていることを特徴とする壁パネルの接続構造。
【請求項２】
壁パネルの側端部に形成された係止部には、前記壁パネルを構成する面板の端部を、その一面側方向に直角に曲折した曲折部の先端を、更に前記一面側方向に折り返した折返片が形成され、
コーナ用スタッド及びヒラ用スタッドの各中空部内に形成された係止部には、前記スタッドの開口部から中空部内に挿入された前記壁パネルの係止部の折返片と当接して弾性的に係止する曲折片が形成されている請求項１記載の壁パネルの接続構造。
【請求項３】
コーナ用スタッドが、波状の凹凸が形成された凹凸状部の両端部に設けられた中空部内に、部屋のコーナ部で交差する壁パネルの各々の一側部を係止する係止部が形成されている請求項１又は請求項２記載の壁パネルの接続構造。
【請求項４】
壁パネルの係止部が中空状の係止部であって、固定ブロックには、コーナ用スタッド及びヒラ用スタッドの各中空部の最上端に装着したとき、前記壁パネルの係止部の中空部に挿入される挿入部が形成されている請求項１〜３のいずれか一項記載の壁パネルの接続構造。
【請求項５】
コーナ用スタッド及びヒラ用スタッドが、床部に嵌め込まれたブロック部材によって、前記スタッドの下端部が支持されて立設されている請求項１〜４のいずれか一項記載の壁パネルの接続構造。
【請求項６】
矩形状の部屋の壁面を形成する複数枚の壁パネルの相互を、板体を曲折して形成した中空部を具備するスタッドによって接続する際に、
該スタッド及び壁パネルとして、請求項１記載のコーナ用スタッド、ヒラ用スタッド及び壁パネルを用い、
前記床部の所定位置に立設した壁パネルの側端部に形成された係合部の一方を、対応する前記スタッドの開口部から中空部内に挿入し、前記中空部内に設けられた係止部と弾性的に係止しつつ、前記スタッドを床部の所定箇所に立設した後、
前記スタッドと壁パネルとの係止を固定し一体化するように、前記スタッドの中空部の最上端に固定ブロックを装着し、
次いで、前記壁パネルと一体化したスタッドに、前記床部の縁に沿って前記壁パネルとスタッドとを順次組み立て一体化することを特徴とする壁パネルの組立方法。
【請求項７】
壁パネルの側端部に形成した係止部を、前記壁パネルを構成する面板の端部を、その一面側方向に直角に曲折した曲折部の先端を、更に前記一面側方向に折り返した折返片を形成した係止部とし、
コーナ用スタッド及びヒラ用スタッドの各中空部内に形成した係止部を、前記スタッドの開口部から中空部内に挿入した前記壁パネルの係止部の折返片と当接して弾性的に係止する曲折片を形成した係止部とする請求項６記載の壁パネルの組立方法。
【請求項８】
コーナ用スタッドとして、波状の凹凸が形成された凹凸状部の両端部に設けられた中空部内に、部屋のコーナ部で交差する壁パネルの各々の側端部を係止する係止部が形成されているコーナ用スタッドを用いる請求項６又は請求項７記載の壁パネルの組立方法。
【請求項９】
壁パネルの係止部を中空状の係止部とし、固定ブロックとして、コーナ用スタッド及びヒラ用スタッドの各中空部の最上端に装着したとき、前記壁パネルの係止部の中空部に挿入される挿入部が形成されている固定ブロックを用いる請求項６〜８のいずれか一項記載の壁パネルの組立方法。
【請求項１０】
コーナ用スタッド及びヒラ用スタッドを、床部に嵌め込んだブロック部材によって、前記スタッドの下端部を支持して立設する請求項６〜９のいずれか一項記載の壁パネルの組立方法。
【発明の詳細な説明】
【０００１】
【発明の属する技術分野】
本発明は壁パネルの接続構造及びその組立方法に関し、更に詳細には矩形状の部屋の壁面を形成する複数枚の壁パネルの相互を、板体を曲折して柱状に形成した中空状のスタッドによって接続する壁パネルの接続構造及びその組立方法に関する。
【０００２】
【従来の技術】
近年、浴室等に用いられる矩形状の部屋の壁面を複数枚の壁パネルと柱状のスタッドとを組み合わせて形成するユニット化が図られている。
かかる部屋の壁面を形成するためには、従来、図１３に示す如く、先ず、矩形状の床部１００の各角部及び角部間の中間部に柱１０２，１０２・・を立設した後、壁パネル１０４，１０４・・を組み立てる。
この壁パネル１０４の各々には、その両端部に他の壁パネル１０４に設けられた係止部と係止される係止部が設けられている。このため、一枚の壁パネル１０４を所定の柱１０２，１０２の間に仮止め治具１０６によって仮止めした後、他の壁パネル１０４の係止部と係止することによって、複数枚の壁パネル１０４，１０４・・を順次組み立てる。
壁パネル１０４，１０４・・が床部１００の縁に沿って一周し、仮止め治具１０６によって仮止めした壁パネル１０４の両端部の係止部が、隣接する壁パネル１０４の係止部と係止されたとき、壁パネル１０４，１０４・・は一体化される。このため、仮止め治具１０６を取り外すことができる。
【０００３】
しかし、図１３に示す従来の方法では、先ず柱構造を組み立てることを要するため、工程数が多くなった。
この点、下記に示す特許文献１には、柱構造を組み立てることなく壁パネルと柱とを順次組み立てることによって、部屋の壁面を形成できる壁パネルの接続構造が提案されている。
【特許文献１】
特開２０００−１７７５９号公報（図３、図４）
この壁パネルの接続構造は、図１４（ａ）（ｂ）に示す如く、化粧板等の面材２０２が一体化された枠体２０４に、係止部としての切欠部２０６，２０６・・が形成された壁パネル２００と、壁パネル２００の切欠部２０６，２０６・・に挿入されて係止される係止片２０８，２０８・・が壁面から突出して突設されたコーナ用スタッド２１０ａ及びヒラ用スタッド２１０ｂとを用いる。
かかる壁パネル２００を床部２１２上に立設した後、コーナ用スタッド２１０ａ又はヒラ用スタッド２１０ｂの側端面の一方に設けられた係止片２０８，２０８・・を、壁パネル２００の切欠部２０６，２０６・・に挿入し係止することによって両者を一体化できる。この様にして、壁パネル２００とコーナ用スタッド２１０ａ又はヒラ用スタッド２１０ｂとを、床部２１２の縁に沿って順次組み立てることが可能である。
【０００４】
【発明が解決しようとする課題】
図１４に示す壁パネル２００、コーナ用スタッド２１０ａ及びヒラ用スタッド２１０ｂを用いることによって、予め柱構造を組み立てることなく壁パネル２００と対応するコーナ用スタッド２１０ａ又はヒラ用スタッド２１０ｂとを順次組み立てることによって、部屋の壁面を形成できる。このため、複数枚の壁パネル２００，２００・・の組み立ての工程数を減少できる。
しかしながら、図１４に示す壁パネル２００、コーナ用スタッド２１０ａ及びヒラ用スタッド２１０ｂは、その形状が複雑である。このため、これらの部材の製造コストが高くなり易い。
しかも、壁パネル２００の切欠部２０６の各々と、対応するコーナ用スタッド２１０ａ又はヒラ用スタッド２１０ｂの係止片２０８とを一致させることは、施工者にとって簡単ではなく熟練を要することである。
そこで、本発明の課題は、壁パネル、コーナ用スタッド及びヒラ用スタッドの構造を簡単化でき、且つ予め柱構造を組み立てることなく壁パネルと対応するスタッドとを順次組み立てることによって容易に部屋の壁面を形成できる壁パネルの接続構造及び組立方法を提供することにある。
【０００５】
【課題を解決するための手段】
本発明者等は前記課題を解決すべく検討を重ねた結果、壁パネルと対応するコーナ用スタッド又はヒラ用スタッドとの係止部としては、壁パネル、コーナ用スタッド及びヒラ用スタッドを形成する板体の端部を曲折して形成した曲折部から成る係止部を用いることによって、壁パネルと対応するコーナ用スタッド又はヒラ用スタッドとの各係止部の位置合せを厳密に行うことを要しないこと、及び壁パネルと対応するコーナ用スタッド又はヒラ用スタッドとの係合部が係止した状態を固定し一体化するには、壁パネルの係止部が係止されたスタッドの中空部の最上端に固定ブロックを装着することが有効であることを知り、本発明に到達した。
すなわち、本発明は、矩形状の部屋の壁面を形成する複数枚の壁パネルの相互を、板体を曲折して形成した中空部を具備するスタッドによって接続する壁パネルの接続構造において、該部屋を形成する床部の各角部に立設され、前記角部で交差する壁パネルの各々の側端部を係止する係止部が中空部内に形成されたコーナ用スタッドと、前記角部間の床部に立設され、前記角部間の平坦な壁面を形成する壁パネルの各々の側端部を係止する係止部が中空部内に形成されたヒラ用スタッドとを備え、前記壁パネルの側端部には、前記壁パネルを構成する面板の端部を曲折して成る係止部が形成され、前記床部に立設された前記コーナ用スタッド及びヒラ用スタッドには、その中空部内に前記壁パネルの係止部が挿入されるように、前記スタッドの長軸方向に沿ってスリット状の開口部が形成されていると共に、前記開口部から中空部内に挿入された前記壁パネルの係止部と当接して弾性的に係止する係止部が前記中空部内に形成され、且つ前記コーナ用スタッド及びヒラ用スタッドの各中空部内に挿入された壁パネルの係止部が、前記スタッドの係止部と係止されたとき、前記係止部の係止状態を固定し一体化するように、前記スタッドの中空部の最上端に固定ブロックが装着されていることを特徴とする壁パネルの接続構造にある。
【０００６】
また、本発明は、矩形状の部屋の壁面を形成する複数枚の壁パネルの相互を、板体を曲折して形成した中空部を具備するスタッドによって接続する際に、該スタッド及び壁パネルとして、前述したコーナ用スタッド、ヒラ用スタッド及び壁パネルを用い、前記床部の所定位置に立設した壁パネルの側端部に形成された係合部の一方を、対応する前記スタッドの開口部から中空部内に挿入し、前記中空部内に設けられた係止部と弾性的に係止しつつ、前記スタッドを床部の所定箇所に立設した後、前記スタッドと壁パネルとの係止を固定し一体化するように、前記スタッドの中空部の最上端に固定ブロックを装着し、次いで、前記壁パネルと一体化したスタッドに、前記床部の縁に沿って前記壁パネルとスタッドとを順次組み立て一体化することを特徴とする壁パネルの組立方法でもある。
【０００７】
かかる本発明において、壁パネルの側端部に形成した係止部を、前記壁パネルを構成する面板の端部を、その一面側方向に直角に曲折した曲折部の先端を、更に前記一面側方向に折り返した折返片を形成した係止部とし、コーナ用スタッド及びヒラ用スタッドの各中空部内に形成した係止部を、前記スタッドの開口部から中空部内に挿入した前記壁パネルの係止部の折返片と当接して弾性的に係止する曲折片を形成した係止部とすることにより、両係合部の係止を容易に行うことができる。
また、コーナ用スタッドとして、波状の凹凸が形成された凹凸状部の両端部に設けられた中空部内に、部屋のコーナ部で交差する壁パネルの各々の側端部を係止する係止部が形成されているコーナ用スタッドを用いることによって、コーナ用スタッドの強度が向上すると共に、コーナ用スタッドの係止部に係止された二枚の壁パネルの間に形成された隙間に、目地等のシール部材を打ち込む際に、シール部材の打ち込み規制として凹凸状部を利用できる。
更に、壁パネルの係止部を中空状の係止部とし、固定ブロックとして、コーナ用スタッド及びヒラ用スタッドの各中空部の最上端に装着したとき、前記壁パネルの係止部の中空部に挿入される挿入部が形成されている固定ブロックを用いることにより、壁パネルとコーナ用スタッド又はヒラ用スタッドとの係止状態を更に確実に固定できる。
かかるコーナ用スタッド及びヒラ用スタッドを、床部に嵌め込んだブロック部材によって、前記スタッドの下端部を支持して立設することにより、スタッドを確実に所定位置に立設できる。
【０００８】
本発明においては、壁パネルとコーナ用スタッド又はヒラ用スタッドとの係止部としては、壁パネル、コーナ用スタッド及びヒラ用スタッドを形成する板体の端部を曲折して形成した曲折部から成る係止部を用いることによって、壁パネルとコーナ用スタッド又はヒラ用スタッドとの各係止部の位置合せを厳密に行うことを要しない。このため、熟練した施工者でなくても容易に壁パネルとスタッドとを組み立てることができる。
更に、本発明では、コーナ用スタッド及びヒラ用スタッドの各中空部内に挿入した壁パネルの係止部を、スタッド内に設けられた係止部と係止したとき、係止部同士の係止状態を固定し一体化するように、スタッドの中空部の最上端に固定ブロックを装着する。このため、コーナ用スタッド、ヒラ用スタッド及び壁パネルの中間部には、スタッドと壁パネルとの係止を固定して一体化する固定部材を設けることを要せず、壁パネル、コーナ用スタッド及びヒラ用スタッドの構造を簡単化できる。
【０００９】
【発明の実施の形態】
本発明に係る壁パネルの接続構造の一例を図１及び図２に示す。図１（ａ）（ｂ）は、コーナ用スタッド１０と壁パネル１４との接続構造を説明する説明図であり、図２（ａ）（ｂ）は、ヒラ用スタッド３０と壁パネル１４との接続構造を説明する説明図である。
図１（ａ）（ｂ）に示すコーナ用スタッド１０は、床部２０の角部に立設されており、波状の凹凸が形成された凹凸状部１２の両端部に筒状の柱部１８，１８が形成され、横断面形状が略三角形をしている。かかる柱部１８，１８の中空部内には、角部で交差する壁パネル１４，１４の各々の側端部を係止する係止部１６，１６が形成されている。
このコーナ用スタッド１０は、板体を曲折して形成したものであり、床部２０の角部に嵌め込まれて立設されたブロック部材２４，２４に柱部１８，１８の下端部が支持されて立設されている。
かかる柱部１８，１８の各々には、コーナ用スタッド１０の長軸方向に沿ってスリット状の開口部が形成されていると共に、この開口部の開口縁を形成する曲折片１６ａが柱部１８の中空部内に曲折されており、曲折片１６ａと柱部１８の内壁面との間に空間部が形成されている。
曲折片１６ａは、柱部１８の中空部内に開口部から挿入された壁パネル１４の係止部１５と係止する係止部１６を形成する。
【００１０】
コーナ用スタッド１０の柱部１８の中空部内に曲折された曲折片１６ａと係止する壁パネル１４の係止部１５は、壁パネル１４を構成する面板の端部を、その一面側方向に直角に曲折した曲折部の先端を、更にこの一面側方向に折り返した折返片１５ａが形成されている。かかる折返片１５ａが、壁パネル１４の係止部１５を中空部内に開口部から挿入したとき、柱部１８の中空部内の曲折片１６ａと当接して弾性的に係止する部分である。
図１（ａ）（ｂ）に示すコーナ用スタッド１０と壁パネル１４とでは、コーナ用スタッド１０の係止部１６と壁パネル１４の係止部１５とを係止したとき、コーナ用スタッド１０の柱部１８の最上部に固定ブロック２６を装着し、コーナ用スタッド１０と壁パネル１４との係止を固定し一体化する。
固定ブロック２６は、三方に壁面部が直交するように形成された箱状体であって、三方に壁面部のうち、二方の平面部の内壁面がコーナ用スタッド１０の柱部１８の外周面と摺接するように形成されている。更に、固定ブロック２６には、装着されたとき、壁パネル１４の係止部１５の中空部に挿入される棒状の挿入部２６ａが設けられている。
この挿入部２６ａは、図１（ａ）に示す様に、固定ブロック２６をコーナ用スタッド１０の柱部１８の最上部に装着するとき、壁パネル１４の係止部１５の中空部に挿入される。このため、固定ブロック２６の外れ防止を図ることができ、壁パネル１４の係止部１５の折返片１５ａが、コーナ用スタッド１０の係止部１６の曲折片１６ａに当接した状態を確実に固定できる。
【００１１】
この様に、コーナ用スタッド１０の係止部１６に、側端部の一方形成されて係止部１５が係止された壁パネル１４の他方の側端部には、図１（ａ）（ｂ）に示す係止部１５と同様の係止部１５が形成されている。この壁パネル１４の他方の側端部に形成された係止部１５は、図２（ａ）（ｂ）に示す様に、ヒラ用スタッド３０に係止される。
図２（ａ）（ｂ）に示す様に、ヒラ用スタッド３０は、床部２０の角部と角部との中間部に立設されており、床部２０の角部に立設されたコーナ用スタッド１０，１０の各々に、側端部の一方形成されて係止部１５が係止された壁パネル１４の他方の側端部に形成された係止部１５，１５が係止されている。
このヒラ用スタッド３０は、板体を曲折して横断面形状が矩形の筒状に形成したものであり、床部２０の中程に嵌め込まれて立設されたブロック部材３４に下端部が支持されて立設されている。
かかるヒラ用スタッド３０（以下、単にスタッド３０と称することがある）には、ヒラ用スタッド３０の長軸方向に沿ってスリット状の開口部が形成されていると共に、この開口部の開口縁を形成する曲折片３２ａ，３２ａが、スタッド３０の中空部内に曲折されている。この曲折片３２ａ，３２の各々とスタッド３０の内壁面との間に空間部が形成されている。
曲折片３２ａ，３２ａの各々は、スタッド３０に開口部から中空部内に挿入された壁パネル１４の係止部１５と係止する係止部３２，３２を形成する。
【００１２】
スタッド３０の中空部内に曲折された曲折片３２ａと係止する壁パネル１４の係止部１５は、壁パネル１４を構成する面板の端部を、その一面側方向に直角に曲折して曲折部を形成し、更に曲折部の先端を一面側方向に折り返した折返片１５ａが形成されている。かかる折返片１５ａが、壁パネル１４の係止部１５をスタッド３０の中空部内に開口部から挿入したとき、スタッド３０内に形成された曲折片３２ａと当接して弾性的に係止する部分である。
図２（ａ）（ｂ）に示すヒラ用スタッド３０と壁パネル１４とでは、スタッド３０の係止部３２と壁パネル１４の係止部１５とを係止したとき、スタッド３０の最上部に固定ブロック３６を装着し、スタッド３０と壁パネル１４との係止を固定し一体化する。
固定ブロック３６は、固定ブロック２６と同様に、三方に壁面部が直交するように形成された箱状体であって、三方に壁面部のうち、二方の平面部の内壁面がスタッド３０の外周面と摺接するように形成されている。更に、固定ブロック３６には、装着されたとき、壁パネル１４の係止部１５の空間部に挿入される棒状の挿入部３６ａが設けられている。
この挿入部３６ａは、図２（ａ）に示す様に、固定ブロック３６をスタッド３０の最上部に装着するとき、壁パネル１４の係止部１５の空間部に挿入される。このため、固定ブロック３６の外れ防止を図ることができ、壁パネル１４の係止部１５の折返片１５ａが、スタッド３０の係止部３２，３２の一方の曲折片３２ａに当接した状態を確実に固定できる。
【００１３】
この様に、コーナ用スタッド１０とヒラ用スタッド３０との係合部１６，３２に、壁パネル１４の両側端部に形成された係合部１５，１５が係止されつつ、コーナ用スタッド１０、ヒラ用スタッド３０及び壁パネル１４が床部２０の外周縁に沿って一周するように配設される。このため、コーナ用スタッド１０、ヒラ用スタッド３０及び壁パネル１４は、互いに引き合い一体化されており、特別な部材を設けることなく床部２０に沿って部屋の壁面が形成される。
かかるコーナ用スタッド１０、ヒラ用スタッド３０及び壁パネル１４を組み合わせて部屋を形成するには、先ず、壁パネル１４の一枚を床部２０の所定位置に立設する。この壁パネル１４の立設する状況を図３（ａ）に示す。
図３（ａ）では、矩形状に形成された床部２０の一の角部近傍に、一枚の壁パネル１４を立設した後、反時計回りでコーナ用スタッド１０、ヒラ用スタッド３０及び壁パネル１４を順次組み立てる。
一枚の壁パネル１４を立設する際には、先に、ブロック部材２４，２４を床部２０の一の角部に装着した後、壁パネル１４の下端部に形成された、端縁が上方に折曲されて形成された折曲片１７を、床部２０の外周縁に沿って、端縁が上方に曲折されて形成された縁片２１に仮止めする。
この仮止めは、図３（ｂ）に示す様に、床部２０の縁片２１に装着されたＵ字材２５に設けられたピン２９を、壁パネル１４の折曲片１７に形成された長穴３１に挿入することによって行うことができる。
【００１４】
次に、図４に示す様に、ブロック部材２４，２４が嵌め込まれて立設された床部２０の角部にコーナ用スタッド１０を組み付ける。
この際に、壁パネル１４の係止部１５を、コーナ用スタッド１０（以下、スタッド１０と称することがある）の開口部１９から柱部１８，１８の一方の中空部内に挿入しつつ、スタッド１０を立設する。立設されたスタッド１０は、その柱部１８，１８の各下端部がブロック部材２４によって支持されている。
この様に、スタッド１０を立設するとき、柱部１８の中空部内に挿入した壁パネル１４の係止部１５は、スタッド１０の中空部内に設けられた係止部１６と当接し係止される。この係止は、スタッド１０の一方の係止部１６を形成する曲折片１６ａと、壁パネル１４の係止部１５の折返片１５ａとが当接して弾性的に係止される。
【００１５】
床部２０の角部に立設されたスタッド１０の柱部１８の中空部内では、図５に示す様に、スタッド１０の係止部１６と壁パネル１４の係止部１５とが係止されている。かかる係止部１５，１６の係止状態を固定すべく、図５に示す様に、スタッド１０の柱部１８の最上部に固定ブロック２６を装着する。この固定ブロック２６は、三方に壁面部が直交するように形成された箱状体であって、三方の壁面部のうち、二方の平面部の内壁面がスタッド１０の柱部１８の外周面と摺接するように形成されている。更に、固定ブロック２６には、装着されたとき、壁パネル１４の係止部１５の中空部に挿入される棒状の挿入部２６ａが設けられている。この挿入部２６ａは、係止部１５の中空部に挿入されるため、固定ブロック２６の外れ防止を図ることができ、壁パネル１４の係止部１５の折返片１５ａが、スタッド１０の係止部１６の曲折片１６ａに当接した状態を確実に固定できる。
【００１６】
柱部１８，１８の一方に形成された係止部１６に、壁パネル１４の係止部１５が係止された状態を、固定ブロック２６によって固定したスタッド１０の他方の柱部１８には、図６に示す様に、他の壁パネル１４の係止部１５を、スタッド１０の開口部１９から中空部内に挿入して係止部１６に係止する。他の壁パネル１４の係止部１５と係止部１６が係止された状態を固定すべく、図１（ａ）に示す様に、スタッド１０に形成された他の柱部１８の最上部に固定ブロック２６を装着する。この固定ブロック２６は、図５に示す固定ブロック２６と同一形状のものである。
スタッド１０の他方の柱部１８に形成された係止部１６に、係止部１５の一方が係止された他の壁パネル１４に形成された他方の係止部１５には、ヒラ用スタッド３０が組み付けられる。その手順を図７及び図８に示す。
【００１７】
まず、図７に示す様に、他の壁パネル１４のに形成された他方の係止部１５の近傍であって、床部２０の直線状部分にブロック部材３４を嵌め込んで立設した後、図８に示す様に、壁パネル１４の係止部１５を、ヒラ用スタッド３０（以下、スタッド３０と称することがある）の開口部３３から中空部内に挿入しつつ、スタッド３０を立設する。立設されたスタッド３０は、その下端部がブロック部材３４によって支持されている。
この様に、スタッド３０を立設するとき、その中空部内に挿入した壁パネル１４の係止部１５は、スタッド３０の中空部内に設けられた係止部３２，３２の一方と当接し係止される。この係止は、スタッド３０の一方の係止部３２を形成する曲折片３２ａと、壁パネル１４の係止部１５の折返片１５ａとが当接して弾性的に係止される。
床部２０の直線状部分に立設されたスタッド３０の中空部内では、図９に示す様に、スタッド３０の係止部３２，３２の一方と壁パネル１４の係止部１５とが係止されている。かかる係止部１５，３２の係止状態を固定すべく、図９に示す様に、スタッド３０の最上部に固定ブロック３６を装着する。この固定ブロック３６は、図５に示す固定ブロック２６と同一形状である。このため、挿入部３６ａが、係止部１５の中空部に挿入されるため、固定ブロック３６の外れ防止を図ることができ、壁パネル１４の係止部１５とスタッド３０の係止部３２，３２の一方との係止状態を確実に固定できる。
【００１８】
壁パネル１４の係止部１５と係止部３２，３２の一方が係止しているスタッド３０には、図１０に示す様に、他の壁パネル１４の係止部１５を開口部３３から中空部内に挿入し、図２（ｂ）に示す様に、スタッド３０の他方の係止部３２と係止する。
更に、固定ブロック３６を、スタッド３０の最上部に装着し、スタッド３０の他方の係止部３２と他の壁パネル１４の係止部１５との係止状態を固定する。
その後、スタッド３０に係止された壁パネル１４に、コーナ用スタッド１０を図４及び図５に示す手順で立設しつつ係止し、更にコーナ用スタッド１０に他方の壁パネル１４を係止する様に、コーナ用スタッド１０、ヒラ用スタッド３０及び壁パネル１４を順次組み立てることによって、コーナ用スタッド１０、ヒラ用スタッド３０及び壁パネル１４から成る壁面を、床部２０の外周縁に沿って一周するように形成できる。かかるコーナ用スタッド１０、ヒラ用スタッド３０及び壁パネル１４は、互いに引き合い一体化されており、特別な部材を設けることなく部屋の壁面を容易に形成できる。
【００１９】
ところで、コーナ用スタッド１０及びヒラ用スタッド３０の各々に係止された壁パネル１４、１４の間には、壁パネル１４の係止部１５が挿入された開口部１９，３３が隙間部として残っている。このため、この隙間部に、図１１に示す目地部材４０を打ち込み隙間部を閉塞することが好ましい。この目地部材４０は、樹脂製の横断面形状がＴ字状の部材であって、縦部４２と横部４６とから成る。縦部４２の途中に形成された膨部４４は、隙間部からの抜け防止を図る部分であり、横部４６は隙間部からコーナ用スタッド１０又はヒラ用スタッド３０の中空部内への挿入防止を図る部分である。
かかる目地部材４０を、隙間部に打ち込む際に、コーナ用スタッド１０に形成される隙間部は、図１（ａ）（ｂ）に示す様に、隙間部の入口から奥側方向に次第に幅広となる末広状であり、壁パネル１４，１４は略直角に交差している。このため、横断面形状がＴ字状の目地部材４０でも、コーナ用スタッド１０の中空部内に打ち込まれ易い。
この点、図１（ａ）（ｂ）に示すコーナ用スタッド１０は、横断面形状が略三角形をしており、頂点に開口部１９が形成されるため、波状の凹凸が形成された凹凸状部１２が底辺となり、目地部材４０の打ち込み量が制限され、目地部材４０の過打ち込みを防ぐことができる。
【００２０】
図１（ａ）（ｂ）に示すコーナ用スタッド１０では、その柱部１８，１８の各最上部に棒状の挿入部２６ａが設けられた固定ブロック２６を個別に装着しているが、図１２（ａ）（ｂ）に示す様に、コーナ用スタッド１０の柱部１８，１８の最上部に同時に装着される固定ブロック２７を用いることができる。
図１２に示す固定ブロック２７は、図１２（ａ）に示す様に、矩形状の箱体であって、コーナ用スタッド１０の柱部１８，１８に係止される壁パネル１４，１４によって形成される角部の内方にはみ出す部分が切欠部に形成されている。
かかる箱体の上面には、柱部１８，１８の最上部を覆うことのできる面積の天井部が形成されており、この天井部の下面側に板状の挿入部２７ａ，２７ａが形成されている。
この固定ブロック２７は、図１２（ｂ）に示す様に、柱部１８，１８の最上部を箱体内に挿入するように装着する。その際に、固定ブロック２７の板状の挿入部２７ａ，２７ａの各々は、壁パネル１４の係止部１５とコーナ用スタッド１０の凹凸状部１２の間に挿入される。このため、固定ブロック２７の外れ防止を図ることができ、壁パネル１４の係止部１５の折返片１５ａが、コーナ用スタッド１０の係止部１６の曲折片１６ａに当接した状態を確実に固定できる。
【００２１】
【発明の効果】
本発明によれば、壁パネル、コーナ用スタッド及びヒラ用スタッドの構造を簡単化でき、且つ予め柱構造を組み立てることなく壁パネルと対応するスタッドとを順次組み立てることによって容易に部屋の壁面を形成できる。
このため、未熟練の施工者でも浴室等を容易に組み立てることができ、且つ壁パネル、コーナ用スタッド及びヒラ用スタッドの製造コストの低減を図ることができるため、浴室等の小部屋を安価に造ることができる。
【図面の簡単な説明】
【図１】本発明に係る壁パネルの接続構造の一例を説明する部分断面斜視図である。
【図２】本発明に係る壁パネルの接続構造の一例を説明する部分断面斜視図である。
【図３】本発明に係る壁パネルの組立方法の一工程を説明する説明図である。
【図４】本発明に係る壁パネルの組立方法の一工程を説明する説明図である。
【図５】本発明に係る壁パネルの組立方法の一工程を説明する説明図である。
【図６】本発明に係る壁パネルの組立方法の一工程を説明する説明図である。
【図７】本発明に係る壁パネルの組立方法の一工程を説明する説明図である。
【図８】本発明に係る壁パネルの組立方法の一工程を説明する説明図である。
【図９】本発明に係る壁パネルの組立方法の一工程を説明する説明図である。
【図１０】本発明に係る壁パネルの組立方法の一工程を説明する説明図である。
【図１１】壁パネル間の隙間に打ち込む目地部材の横断面図である。
【図１２】本発明に係る壁パネルの接続構造の他の例を説明する部分断面斜視図である。
【図１３】従来の壁パネルの組立方法における一工程を説明する説明図である。
【図１４】改良された壁パネルの接続構造を説明する部分断面斜視図である。
【符号の説明】
１０  コーナ用スタッド
１２  凹凸状部
１４  壁パネル
１５，１６，３２  係止部
１５ａ  折返片
１６ａ，３２ａ  曲折片
１７  折曲片
１８  柱部
１９，３３  開口部
２０  床部
２４，３４  ブロック部材
２６，２７，３６  固定ブロック
２６ａ，３６ａ  挿入部
３０  ヒラ用スタッド
４０  目地部材
【図１】
2004150253.tif 000003
【図２】
2004150253.tif 000004
【図３】
2004150253.tif 000005
【図４】
2004150253.tif 000006
【図５】
2004150253.tif 000007
【図６】
2004150253.tif 000008
【図７】
2004150253.tif 000009
【図８】
2004150253.tif 000010
【図９】
2004150253.tif 000011
【図１０】
2004150253.tif 000012
【図１１】
2004150253.tif 000013
【図１２】
2004150253.tif 000014
【図１３】
2004150253.tif 000015
【図１４】
2004150253.tif 000016